(57)【特許請求の範囲】
【請求項１】
タグ等の記憶媒体の情報を読み取るＲＦ部と、光を発する表示部を備えて外部の装置に前記ＲＦ部により上記記憶媒体から読み取った情報を送信する通信ポートと、を備える非接触リーダライタであって、
光を電気に変換する光電変換部と、
当該光電変換部にて変換された電気を蓄積する蓄電部と、を有し、
当該リーダライタと前記外部の装置との所定の位置関係にて、前記外部の装置の表示部から受けた光により前記光電変換部が蓄電し、前記ＲＦ部が上記記憶媒体から読み取った情報を前記外部の装置に前記通信ポートを介して送信することを特徴とする非接触リーダライタ。
【請求項２】
請求項１記載の非接触リーダライタにおいて、前記リーダライタと上記外部の装置とを接合すると、前記光電変換部は上記外部の装置の表示部と対面する位置となることを特徴とする非接触リーダライタ。
【請求項３】
請求項１記載の非接触リーダライタにおいて、前記リーダライタを上記外部の装置に装着すると、前記光電変換部は上記外部の装置の表示部からの光を変換し、前記蓄電部は電力を蓄積することを特徴とする非接触リーダライタ。
【請求項４】
タグ等の記憶媒体の情報を読み取るリーダライタと、光を発する表示部を備えて当該リーダライタと通信する通信端末装置とを備える通信システムにおいて、前記リーダライタは、
光を電気に変換する光電変換部と、
当該光電変換部にて変換された電気を蓄積する蓄電部と、を有し、
当該リーダライタは、前記通信端末装置の表示部から受けた光により前記光電変換部が蓄電した電力によって、上記記憶媒体から読み取った情報を前記通信端末装置に送信することを特徴とする通信システム。
【請求項５】
請求項４記載の通信システムにおいて、前記リーダライタと前記通信端末とを接合すると、前記表示部と前記光電変換部とが対面する位置となることを特徴とする通信システム。
【請求項６】
請求項４記載の通信システムにおいて、前記リーダライタを前記通信端末装置に装着すると、前記光電変換部は前記通信端末装置の表示部からの光を変換し、前記蓄電部は電力を蓄積することを特徴とする通信システム。
【発明の詳細な説明】
【０００１】
【発明の属する技術分野】
本発明は、非接触で読み取りあるいは書き込み可能な無線タグなどの媒体を読み書きするリーダライタおよびそれを用いた通信システムに関する。
【０００２】
【従来の技術】
従来の非接触タグ用リーダライタでは、必要に応じてＰＤＡ（Ｐｅｒｓｏｎａｌ  Ｄａｔａ  Ａｓｓｉｓｔａｎｔｓ）やハンドヘルドターミナルなどの情報端末に着脱可能で、電気的に接続を行うものが、特開平２００１−１０１３５３に提案されている。
【０００３】
図３は従来の技術の実施形態における携帯型無線タグ用リーダライタが無線タグと交信している様子を示す図である。図３に示すように、携帯型無線タグ用タグリーダライタ１０と情報端末１１とからなっているが、無線タグ１２の読み取り範囲１３も図に示すようになり、その範囲に無線タグ１３がはいれば、携帯型無線タグ用リーダライタから発信された電磁波によって情報のやりとりができる。非接触のリーダライタ１０が必要に応じて、情報端末１１と着脱できた。
【０００４】
【発明が解決しようとする課題】
しかしながら、従来の技術では、携帯型無線タグ用タグリーダライタと情報端末と接続されているときは、電気的に結合された形になり、電源は独自に電池等を持つか、情報端末から供給されていた。
【０００５】
本発明は、上記従来の問題点を解決するもので、電池等の電源が不要で、電気的に情報端末と絶縁されている非接触リーダライタ及びそれを用いた通信システムを提供することを目的とする。
【０００６】
【課題を解決するための手段】
上記の目的を達成するために本発明は、タグ等の記憶媒体の情報を読み取るＲＦ部と、光を発する表示部を備えて外部の装置に上記ＲＦ部により上記記憶媒体から読み取った情報を送信する通信ポートと、を備える非接触リーダライタであって、光を電気に変換する光電変換部と、当該光電変換部にて変換された電気を蓄積する蓄電部と、を有し、当該リーダライタと上記外部の装置との所定の位置関係にて、上記外部の装置の表示部から受けた光により上記光電変換部が蓄電し、上記ＲＦ部が上記記憶媒体から読み取った情報を上記外部の装置に上記通信ポートを介して送信するように構成されている。また、タグ等の記憶媒体の情報を読み取るリーダライタと、光を発する表示部を備えて当該リーダライタと通信する通信端末装置とを備える通信システムにおいて、上記リーダライタは、光を電気に変換する光電変換部と、当該光電変換部にて変換された電気を蓄積する蓄電部と、を有し、当該リーダライタは、上記通信端末装置の表示部から受けた光により上記光電変換部が蓄電した電力によって、上記記憶媒体から読み取った情報を上記通信端末装置に送信するように構成されている。
【００１２】
【発明の実施の形態】
第１の発明は、タグ等の記憶媒体の情報を読み取るＲＦ部と、光を発する表示部を備えて外部の装置に上記ＲＦ部により上記記憶媒体から読み取った情報を送信する通信ポートと、を備える非接触リーダライタであって、光を電気に変換する光電変換部と、当該光電変換部にて変換された電気を蓄積する蓄電部と、を有し、当該リーダライタと上記外部の装置との所定の位置関係にて、上記外部の装置の表示部から受けた光により上記光電変換部が蓄電し、上記ＲＦ部が上記記憶媒体から読み取った情報を上記外部の装置に上記通信ポートを介して送信するように構成されており、この構成により、外部の装置の表示部からの光を光電変換部により変換して蓄積部に蓄積した電気により作動することができ、外部の装置からの電力の供給が不要である。
【００１３】
第２の発明は、上記リーダライタと上記外部の装置とを接合すると、上記光電変換部は上記外部の装置の表示部と対面する位置となるように構成され、この構成により、当該リーダライタと外部の装置との接合することにより、当該外部の装置の表示からの光を前記光電変換部が受けることができる。
【００１４】
第３の発明は、上記リーダライタを上記外部の装置に装着すると、上記光電変換部は上記外部の装置の表示部からの光を変換し、上記蓄電部は電力を蓄積するように構成される。この構成により、ユーザは、リーダライタを表示部が作動している外部の装置に装着するだけで、蓄電部に電力を蓄積することができる。
【００１５】
第４の発明は、タグ等の記憶媒体の情報を読み取るリーダライタと、光を発する表示部を備えて当該リーダライタと通信する通信端末装置とを備える通信システムにおいて、上記リーダライタは、光を電気に変換する光電変換部と、当該光電変換部にて変換された電気を蓄積する蓄電部と、を有し、当該リーダライタは、上記通信端末装置の表示部から受けた光により上記光電変換部が蓄電した電力によって、上記記憶媒体から読み取った情報を上記通信端末装置に送信するように構成され、この構成により、通信端末装置の表示部からの光を光電変換部により変換して蓄積部に蓄積した電気により作動することができ、当該通信端末装置からの電力の供給が不要である。
【００１６】
第５の発明は、上記リーダライタと上記通信端末とを接合すると、上記表示部と上記光電変換部とが対面する位置となるように構成され、この構成により、当該リーダライタと通信端末装置との接合することにより、当該通信端末装置の表示からの光を上記光電変換部が受けることができる。
【００１７】
第６の発明は、上記リーダライタを上記通信端末装置に装着すると、上記光電変換部は上記通信端末装置の表示部からの光を変換し、上記蓄電部は電力を蓄積するように構成され、この構成により、ユーザは、リーダライタを表示部が作動している通信端末装置に装着するだけで、蓄電部に電力を蓄積することができる。
【００１８】
以下、本発明の実施の形態について、図１ないし図２を参照しながら説明する。図１は、本実施の形態によって実施される非接触リーダライタと携帯通信端末装置の斜視図である。１は非接触タグリーダライタ、２は携帯通信端末、３は赤外線通信ポート、４は光電変換素子、５は携帯通信端末の表示部、６は非接触タグリーダを携帯通信端末に装着する方向である。赤外線通信ポート３は電気信号を光信号（赤外線）に変換し、また光信号（赤外線）を電気信号に変換する働きをする。非接触タグリーダライタ１を装着方６に向かって携帯通信端末２に装着すると、非接触タグリーダライタ１にある光電変換素子４がちょうど携帯通信端末２にある表示部５上にくるように配置し、表示部５の光を光電変換素子４で電気に変換する。また同時に非接触タグリーダライタ６と携帯通信端末２にある赤外線通信ポート３同士が相対する位置に来るように配置し、通信可能となる。
【００１９】
図２は、本実施の形態によって実施される非接触リーダライタと携帯通信端末装置のブロック図である。さきほどの携帯通信端末に非接触タグリーダライタを装着した状態になると、携帯通信端末の表示部５の明るさから光電変換素子４に光が照らされ電気に変換され電力が生成される。その光電変換素子で発生した電力を蓄電部へ送り、蓄えられる。次に、非接触タグリーダライタで非接触タグを読み書きするときは、まず携帯通信端末の（赤外線）通信ポートに電気の起動信号が発せられ、それが光（赤外線）の起動信号になり、非接触リーダライタの（赤外線）通信ポートに到着する。非接触リーダライタの（赤外線）通信ポートでは、蓄電部から電源が供給されていた場合、受信した光（赤外線）の起動信号を電気の起動信号に変換し、中央処理部に伝送する。中央処理部では、蓄電部から電源が供給されている場合、起動信号により初期化し、さらに信号が来るのを待ち受ける。続いて同様に携帯通信端末から、たとえば非接触タグから情報を読み出す信号が発せられると、（赤外線）通信ポートを通して中央処理部に伝えられ、ＲＦ部に非接触タグから情報を読み出すコマンドを出し、非接触タグから情報を読み出すと、先ほどとは逆に非接触リーダライタの（赤外線）通信ポートから、携帯通信端末の通信ポートへ情報を伝える。非接触タグに書き込む場合も同様である。以上のように、非接触リーダライタに電池等の電源なしで、かつ携帯通信端末と電気的に絶縁されていても非接触タグ等を読み書きできる、非接触リーダライタ及びそれを用いた通信システムを提供することができる。
【００２０】
【発明の効果】
以上のように、本発明の非接触リーダライタ及び通信システムにおいては、表示部からの光を光電変換部が電気に変換して蓄電部が蓄電した電力により作動することができ、外部からの電力の供給の必要が無い。
【図面の簡単な説明】
【図１】本実施の形態によって実施される非接触リーダライタと携帯通信端末装置の斜視図
【図２】本実施の形態によって実施される非接触リーダライタと携帯通信端末装置のブロック図
【図３】従来の技術の実施形態における携帯型無線タグ用リーダライタが無線タグと交信している様子を示す図
【符号の説明】
１  非接触タグリーダライタ
２  携帯通信端末
３  赤外線通信ポート
４  光電変換素子
５  携帯通信端末の表示部
６  非接触タグリーダを携帯通信端末に装着する方向
【図１】
0003801065.tif 000002
【図２】
0003801065.tif 000003
【図３】
0003801065.tif 000004